(57)【特許請求の範囲】
【請求項１】
ケーシング内を左右方向に熱交換器および送風ファンが設置されるファン室と圧縮機が配置される機械室とに区切る仕切板と、
前記機械室の上部に配置される電気品ユニットと、
前記送風ファンを回転駆動させるとともに、前記電気品ユニットに導かれるリード線を具備するファンモータと、
前記熱交換器と前記送風ファンの間に位置し、前記ファンモータを固定するファンモータ支持具と、を備え、
前記ファンモータ支持具が、
左右方向に間隔を空けて上下方向に延びる一対の支柱と、
前記一対の支柱の上下方向の途中に形成され、前記ファンモータが取り付けられるモータ取付面と、
前記一対の支柱の上下方向の途中で、前記モータ取付面よりも上方もしくは下方に位置し、前記一対の支柱を左右方向に跨がる中間横板と、
前記モータ取付面に前記ファンモータが取り付けられた状態において、前記ファンモータと距離を隔てて前記ファンモータの鉛直方向上方もしくは下方の位置で、前記中間横板の前記モータ取付面側の端面から前記ファンモータに近づく方向に突出するように形成される左右方向ガイド片と、を有し
前記左右方向ガイド片は、
左右方向に前記機械室の反対方向に開口し前記機械室の方向に凹んで設けられ、前記リード線を引っ掛けて、前記リード線の配線経路を上下方向から前記機械室の方向へ変更する左右方向ガイド溝と、
前記左右方向ガイド溝と当該左右方向ガイド片の突端とを含むガイド部と、を有し、
前記ガイド部は、
前記突端が前記中間横板よりも当該室外機の正面側に位置し、水平方向に対して前記突端が前記モータ取付面に取り付けられた前記ファンモータに近づく方向に傾斜している空気調和機の室外機。
【請求項２】
前記左右方向ガイド溝は、その開口を含め、前記ファンモータ支持具の左右方向の中心線Ｌよりも前記機械室側に位置している請求項１に記載の空気調和機の室外機。
【請求項３】
前記ガイド部は、
該ガイド部の前記中間横板側に前記中心線Ｌに跨がって位置し、前記左右方向ガイド溝の溝縁に段差なく連続する先端縁を有するガイド部根元部分を有し、
前記先端縁と前記左右方向ガイド溝の溝縁とがＪ字状を成している請求項２に記載の空気調和機の室外機。
【請求項４】
前記先端縁と前記前記左右方向ガイド溝の溝縁とは、コーナー部を曲面形状にして当該室外機の背面の方向へと折り曲げられている請求項３に記載の空気調和機の室外機。
【請求項５】
前記左右方ガイド片は、
前記中間横板の前記モータ取付面側の端面から折り曲げられて当該室外機の正面側へと突出する突き出し部を有し、
前記突き出し部の先端に前記ガイド部が連接している請求項１〜４のいずれかに記載の空気調和機の室外機。
【請求項６】
前記ファンモータ支持具は、
前記一対の支柱のうち前記機械室側に位置する支柱に連接し当該室外機の正面側へと突出する上方向ガイド片と、
前記上方向ガイド片に、下向きに開口し上方向に凹んで設けられ、前記リード線を引っ掛けて、前記左右方向ガイド溝にて前記機械室の方向に変更された前記リード線の配線経路を上方向に変更する上方向ガイド溝と、
を有する請求項１〜５のいずれかに記載の空気調和機の室外機。
【請求項７】
前記上方向ガイド溝は、
前記左右方向ガイド溝よりも上方に設けられている請求項６に記載の空気調和機の室外機。
【請求項８】
前記モータ取付面は、前記一対の支柱よりも当該室外機の正面側に位置しており、
前記ファンモータ支持具は、前記支柱と前記モータ取付面とを接続する起立壁を有し、
前記上方向ガイド片は、前記起立壁の下端に連続して形成されている請求項７に記載の空気調和機の室外機。
【発明の詳細な説明】
【技術分野】
【０００１】
この発明は、空気調和機の室外機に関し、特に、送風ファンを回転駆動するファンモータから引き出されるリード線の処理構造に関するものである。
【背景技術】
【０００２】
空気調和機の室外機は、底板上に直立する仕切板によって、その内部が左右方向に２つの空間に区切られており、一方が熱交換器や送風ファンが配置されているファン室、他方が機械室で圧縮機が設置されている。そして、機械室の上部には、当該空気調和機を運転制御するための複数の電気電子部品が実装された電装基板を収める電気品ユニットが配置されている【０００３】
送風ファンは複数の翼を有するプロペラファンであり、その送風ファンが生成する空気流において、送風ファンは熱交換器の下流側に位置している。ファンモータの回転軸が送風ファンに連結し、送風ファンは回転軸を介して伝えられるファンモータの回転駆動力によって回転して空気流を生成する。ファンモータは、送風ファンと熱交換器の間に位置し、底板に下部を固定されているファンモータ支持具に取り付けられている。ファンモータ支持具は、送風ファンと熱交換器の間に位置し、ファンモータを介して送風ファンも支持している。【０００４】
ファンモータは、下部にリード線引き出し部を有し、そこから引き出されたリード線は、ファンモータより上方に位置する電気品ユニットに収められている電装基板上のコネクタに接続される。そして、ファンモータからコネクタまで導かれているリード線の途中部分が回転する送風ファンに絡まることがないように、ファンモータ支持具は、一対の支柱を有し、ファンモータから引き出されたリード線をファンモータよりも下方となる位置で支柱に折り曲げ片にて押さえ、支柱と折り曲げ片との間で挟持する保持部を備えている。それにより、ファンモータのリード線は、リード線引き出し部からファンモータ支持具の保持部を経て電気品ユニットへと導かれている。（例えば、特許文献１参照。）  
【先行技術文献】
【特許文献】
【０００５】
【特許文献１】特開２００１−１９３９６９号公報
【発明の概要】
【発明が解決しようとする課題】
【０００６】
ファンモータ支持具は、左右方向に所定の距離を隔てて上下方向（鉛直方向）に延びる一対の支柱を有し、一対の支柱の間に形成されるモータ取付面にファンモータが取り付けられる。ファンモータは、ファンモータ支持具のモータ取付面にネジ固定される取付脚を除くと正面視で円形であり、その中心に回転軸が突出している。ファンモータの回転軸は、一対の支柱間の左右方向中央に位置する。そして、ファンモータのリード線引き出し部は、回転軸の真下となるファンモータの最下部（ただし取付脚を除く）を含んで形成されている。【０００７】
このため、ファンモータのリード線引き出し部と、ファンモータ支持具の支柱に設けられるリード線の保持部とは、左右方向に一対の支柱の間隔の半分に相当する距離を隔てており、ファンモータ支持具の保持部は、正面視でリード線引き出し部の斜め下方に位置している。【０００８】
このように保持部がリード線引き出し部の斜め下方に位置しているため、リード線引き出し部から保持部に至るリード線が、たるみのないぴんと張った状態で保持部にて挟持される事態も起こり得る。そのような状況では、リード線は斜め下方に引っ張られていることになるので、リード線引き出し部、すなわちリード線の根元部分には、下向きの引っ張り力に加えて、左右方向で保持部がある側の方向にせん断力が作用していることとなる。【０００９】
室外機のファンモータとして現在はモールドタイプのＤＣブラシレスモータが広く用いられている。そのためリード線は、電源線だけでなく回転子磁石の位置信号線など複数の電線がチューブで覆われて構成されている。ただしリード線引き出し部、すなわちリード線の根元部分においては、それら複数の電線はチューブには収められておらず、左右方向に横並び状態となっている。リード線引き出し部から横並び状態で引き出された複数の電線が一まとめにされ、一まとめとなってからの電線群をチューブが覆っている。【００１０】
そのため、リード線の根元であるリード線引き出し部において、左右方向に横並びの電線に作用するせん断力は、保持部から遠い側の電線が近い側の電線に比べて相対的に大きくなる。保持部に向かう斜め下方の引っ張り力（合力）に対するせん断力の比率が、保持部から遠い側の方が高いのである。【００１１】
なお、保持部から遠いとは、保持部の位置とリード線引き出し部における電線の位置との左右方向の距離が大きいということである。この距離がいちばん大きい横並び端部の電線にせん断力が最も大きく作用することになる。たとえば、一対の支柱のうち正面視で右側の支柱に保持部が形成されている場合では、リード線引き出し部において正面視で最も左側に位置する電線に作用するせん断力が最も大きくなる。【００１２】
特許文献１に示されるような、ファンモータ下部から引き出されたリード線を、ファンモータより下方の位置でファンモータ支持具の支柱に保持し、その保持部から機械室上部の電気品ユニットに導くように構成したファンモータのリード線の処理構造においては、リード線がたるみのないピンと張った状態で支柱に保持されると、リード線の根元にせん断力が作用し、そのせん断力を起因とするリード線の破断が生じる恐れがあった。特に、リード線を構成する複数の電線のうち保持部から最も遠い位置の電線が、上記のせん断力が相対的に大きく作用するため、その電線の断線が懸念されていた。【００１３】
この発明は、上記のような課題を解決するためになされたもので、ファンモータのリード線が破断することのないリード線の処理構造を有する信頼性に優れた空気調和機の室外機を提供することを目的とする。
【課題を解決するための手段】
【００１４】
この発明に係る空気調和機の室外機は、ケーシング内を左右方向に熱交換器および送風ファンが設置されるファン室と圧縮機が配置される機械室とに区切る仕切板と、前記機械室の上部に配置される電気品ユニットと、前記送風ファンを回転駆動させるとともに、前記電気品ユニットに導かれるリード線を具備するファンモータと、前記熱交換器と前記送風ファンの間に位置し、前記ファンモータを固定するファンモータ支持具と、を備え、前記ファンモータ支持具が、左右方向に間隔を空けて上下方向に延びる一対の支柱と、前記一対の支柱の上下方向の途中に形成され、前記ファンモータが取り付けられるモータ取付面と、前記一対の支柱の上下方向の途中で、前記モータ取付面よりも上方もしくは下方に位置し、前記一対の支柱を左右方向に跨がる中間横板と、前記モータ取付面に前記ファンモータが取り付けられた状態において、前記ファンモータと距離を隔てて前記ファンモータの鉛直方向上方もしくは下方の位置で、前記中間横板の前記モータ取付面側の端面から前記ファンモータに近づく方向に突出するように形成される左右方向ガイド片と、を有し、前記左右方向ガイド片は、左右方向に前記機械室の反対方向に開口し前記機械室の方向に凹んで設けられ、前記リード線を引っ掛けて、前記リード線の配線経路を上下方向から前記機械室の方向へ変更する左右方向ガイド溝と、前記左右方向ガイド溝と当該左右方向ガイド片の突端とを含むガイド部と、を有し、前記ガイド部は、前記突端が前記中間横板よりも当該室外機の正面側に位置し、水平方向に対して前記突端が前記モータ取付面に取り付けられた前記ファンモータに近づく方向に傾斜しているものである。
【発明の効果】
【００１５】
この発明によれば、ファンモータのリード線が破断することのないリード線の処理構造を有する信頼性に優れた空気調和機の室外機を提供することができる。
【図面の簡単な説明】
【００１６】
【図１】この発明の実施の形態１における空気調和機の室外機の外観斜視図である。
【図２】図１に示す室外機の分解斜視図である。
【図３】図１に示す室外機におけるファンモータとファンモータ支持具の正面側からの分解斜視図である。
【図４】図１に示す室外機におけるファンモータ支持具の背面側からの斜視図である。
【図５】図３に示すファンモータ支持具に取り付けられた状態のファンモータの斜視図である。
【図６】図３に示すファンモータ支持具に取り付けられた状態のファンモータの正面図である。
【図７】図３に示すファンモータ支持具の左右方向ガイド片およびその周辺部位を示す斜視図である。
【図８】図７における左右方向ガイド片の正面図である。
【図９】図７における左右方向ガイド片の縦断面図である。
【図１０】図３に示すファンモータ支持具の上方向ガイド片およびその周辺部位を示す斜視図である。
【図１１】図１に示す室外機におけるリード線処理構造の第１方向転換部を説明する斜視図である。
【図１２】図１に示す室外機におけるリード線処理構造の第２方向転換部を説明する斜視図である。
【図１３】図１に示す室外機におけるリード線の配線経路を正面側から見た図である。
【図１４】図１に示す室外機におけるリード線の配線経路を背面側から見た図である。
【発明を実施するための形態】
【００１７】
実施の形態１．
以下、この発明の実施の形態１について、図面を参照しながら説明する。図１は、この発明の実施の形態１に係る空気調和機の室外機１００（以降、室外機１００と称す）の正面側からの外観斜視図、図２はその室外機１００分解斜視図となっている。この室外機は屋外に設置され、図示されない屋内の室内機と冷媒配管で接続され、冷凍サイクルが構成される。また、室内機とは冷凍サイクルの運転制御のために電源ケーブルや信号線も接続されている。室外機１００と室内機とで、セパレート型の空気調和機を構成する。
【００１８】
室外機１００は、左右方向が長辺となる略直方体形状の外観を呈しており、複数の板金部品がケーシング１５を構成している。ケーシング１５は、底部を担う底板１、正面を覆う正面パネル２、左右それぞれの側面を覆う左側面パネル３と右側面パネル４、上面を覆う天面パネル５から成る。ここでは左側面パネル３は正面パネル２と一体成形されている。また、底板１の下面には当該室外機１００を支える一対の脚部１ａが固定されている。
【００１９】
図２に示すように、室外機１００はケーシング１５内を、底板１上面に直立する仕切板６によって、左右方向に、送風ファン７や熱交換器８が設置されるファン室Ｆと、圧縮機９や電気品ユニット１０が配置される機械室Ｍとに分けられている。圧縮機９は、底板１に防振ゴムを介して設置され、電気品ユニット１０は機械室Ｍの上部に位置している。図示されるとおり、正面視で右側に機械室M、左側にファン室Ｆが位置する。
【００２０】
機械室Mに面する右側面パネル４には、室内機との接続配管が接続される接続バルブが右側方に突出するための切り欠きや電気品ユニット１０に室内機からの電源線や信号線を中継する端子台に通すための開口が形成されていて、それら切り欠きや開口を覆う保護カバー１１が取り付けられる。
【００２１】
ファン室Ｆでは、平面視で略Ｌ字形状の熱交換器８が、Ｌ字の長辺部分が当該室外機１００の背面寄りに、短辺部分がファン室Ｆの左側面寄りに位置するように底板１上に設置されている。その熱交換器８の長辺部分の前方に送風ファン７が配置される。さらに送風ファン７の前方に位置する正面パネル２には、送風ファン７に対向して吹出口２ａが形成され、その吹出口２ａの前面にはファンガード１２が取り付けられている。
【００２２】
左側面パネル２には複数の通風孔が設けられており、送風ファン７が回転して生成される空気流が、熱交換器８を通過して吹出口２ａから吹き出される。送風ファン７は自身が生成する空気流において、熱交換器８の下流側に位置していることになる。
【００２３】
送風ファン７は、中央のボス部の外周に周方向に等間隔に設けられた複数の翼から成るプロペラファンであり、モールドタイプのＤＣブラシレスモータであるファンモータ２０の回転駆動力によって回転する。ファンモータ２０は回転軸２１を正面側へと突出させており、この回転軸２１が送風ファン７のボス部中心に連結されている。ファンモータ２０の回転駆動力は回転軸２１を介して送風ファン７に伝達され、送風ファン７が回転する。
【００２４】
送風ファン７を回転駆動させるファンモータ２０は、送風ファン７より背面側で、かつ熱交換器８の長辺部分よりも正面側に位置するファンモータ支持具３０に固定され、送風ファン７の背面側に位置する。ファンモータ支持具３０は、底部を底板１に固定され、前後方向に送風ファン７と熱交換器８との間に位置して、ファンモータ２０だけでなくファンモータ２０の回転軸２１に連結されている送風ファン７も支持している。
【００２５】
図３および図４は、それぞれファンモータ支持具３０の斜視図であり、図３と図４では見る方向が異なる。図３にはファンモータ２０も図示している。このファンモータ支持具３０は、板金製で一体成形されており、左右方向に所定の間隔を空け上下方向に延びる一対の支柱３１を有している。なお、一対の支柱３１が延びる上下方向は概ね鉛直方向である。
【００２６】
ファンモータ支持具３０はまた、一対の支柱３１の上端部と下端部でそれぞれ、左右方向に一対の支柱３１に跨って形成される上横板３２と下横板３３を有している。下横板３３には当該室外機１００の正面側に突出する固定板３４が連接されている。固定板３４が底板１にネジ固定されることでファンモータ支持具３０は底板１上に直立する。
【００２７】
さらに、上横板３２と下横板３３の間で一対の支柱３１の上下方向の途中には、上下方向に所定の間隔を空けて左右方向に一対の支柱３１に跨る２本の中間横板３５ａ、３５ｂが形成されている。上横板３２に近い方が上側中間横板３５ａで、下横板３３に近い方が下側中間横板３５ｂである。上横板３２、下横板３３、２本の中間横板３５ａ、３５ｂのいずれもが、その正面が一対の支柱３１の正面と同一面となっている。
【００２８】
そして、２本の中間横板３５ａ、３５ｂの間で、当該ファンモータ支持具３０の上下方向の途中、ここでは略中央の位置に、一対の支柱３１よりも当該室外機１００の正面側に突出してモータ取付面３６が形成されている。モータ取付面３６は、正面パネル２の吹出口２ａと対向する平面であり、一対の支柱３１の上下方向の途中で左右方向に一対の支柱３１の間に形成されている。そして、モータ取付面３６には複数のネジ穴３６ａが設けられている。上側中間横板３５ａは上下方向に所定の間隔を空けてモータ取付面３６より上方に位置し、下側中間横板３５ｂは上下方向に所定の間隔を空けてモータ取付面３６より下方に位置する。
【００２９】
一対の支柱３１はそれぞれ、上横板３２と上側中間横板３５ａとの間、および下側中間横板３５ｂと下横板３３との間の部分では、左右両側が背面側に折り曲げられて、横断面が背面側に開口するＵ字形状に形成されている。そのため、この部分の支柱３１には、左右両側と正面側が閉じ背面側に開口する支柱背面溝３１ａが形成されている。
【００３０】
そして、２本の中間横板３５ａ、３５ｂの間では、外側は、支柱背面溝３１ａが形成されている部分と同様に背面側に折り曲げられていて上下部分と連続する平面を形成しているが、内側には、正面側に折り曲げられて支柱３１とモータ取付面３６とを接続する起立壁３７が形成されている。よって、２本の中間横板３５ａ、３５ｂの間では、一対の支柱３１はそれぞれ、横断面が外側面と正面の2つの面から成るＬ字形状を呈している。そして、正面側に突出する起立壁３７は、支柱３１の正面とほぼ直角であり、モータ取付面３６は支柱３１の正面に対して平行であり、起立壁３７の高さだけ支柱３１の正面よりも正面側に位置することになる。
【００３１】
一対の支柱３１のうち機械室Ｍ側に位置する支柱３１の上部には、折り曲げられることにより、ここまで導かれてきたファンモータ２０のリード線２５を押さえて保持するリード線押さえ片１３が形成されている。なお、リード線２５の詳細については後述する。
【００３２】
また、ファンモータ支持具３０の上部には、上横板３３の下端に連接して背面側に突出する熱交換器固定部３８が形成されている。熱交換器固定部３８は、下向きに開口する断面がＵ字状の嵌合部を有し、この嵌合部に熱交換器８の長辺部分の一部上端が嵌まり込む。それにより、熱交換器８の直立が安定する。
【００３３】
さらに、上横板３３の上端に連接して正面側に突出する天面板３９を備える。天面板３９は先端に下方に折り曲げられた接触面が形成され、接触面にはネジ穴が設けられる。この接触面が正面パネル２の裏面に接し、天面板３９は正面パネル２にネジ固定される。これにより、天面パネル５が下側にある天面板３９によって補強され、段積み等で天面パネル５の上方から荷重が加えられた時でも天面パネル５の変形が防止される。また、天面板３９が正面パネル２にネジ固定されることでファンモータ支持具３０の直立が安定する。なお、天面パネル５と天面板３９との間には衝撃荷重を吸収する緩衝材が挟持される。
【００３４】
図３に示すように、ファンモータ２０は、円筒状の本体部２２の外周から９０度間隔で半径方向に４本の取付脚２３が突出し、本体部２２の正面から回転軸２１が突出する外観を呈している。本体部２２の外周は、図示しないモータ固定子と回路基板を覆うモールド樹脂となっている。本体部２２は正面視で円形であり、その中心と回転軸２１の中心は一致する。回転軸２１は一方が送風ファン７に連結するが、他方はモータ固定子の内周側に位置するモータ回転子に連結している。
【００３５】
取付脚２３はそれぞれ、円柱状の本体部２２の正面寄りの位置で半径方向に外方へ突出しており、外寄りの位置にボルト通し穴２３ａを有している。４本の取付脚２３のそれぞれの背面がモータ支持具３０のモータ取付面３６と接触し、ネジ通し穴２３ａを通ってネジ穴３６ａにねじ込まれる４本のネジ１４によってモータ支持具３０のモータ取付面３６に取り付け固定される。なお、図３に示されるファンモータ２０は、リード線２５の図示が省略されている。
【００３６】
この室外機１００は、底板１上に熱交換器８を設置した後にファンモータ支持具３０を底板１に固定するとともに、熱交換器固定部３７に熱交換器８の上部を嵌合させる。その後に、正面側からモータ取付面３６にファンモータ２０を取り付け、ファンモータ２０の回転軸２１に送風ファン７を連結させる。
【００３７】
図５は、ファンモータ支持具３０に取り付けられた状態のファンモータ２０の斜視図であり、図６はその正面図である。ファンモータ２０は、電気品ユニット１０まで導かれ、電気品ユニット１０に収められている電装基板上のコネクタに接続されるリード線２５を具備している。ファンモータ２０は、本体部２２の外周にリード線引き出し部２４を有しており、リード線引き出し部２４からリード線２５が引き出されている。この室外機１００では、リード線引き出し部２４は正面視で本体部２２の下端となる位置に設けられている。なお、図５では、リード線２５はリード線引き出し部２４からの一部のみの描写となっている。また、図６に描かれる一点鎖線は、ファンモータ支持具３０の左右方向の中心線Ｌを示している。
【００３８】
ファンモータ２０がＤＣブラシレスモータであるので、リード線２５は、電源線だけでなく回転子磁石の位置信号線など複数の電線が一まとめにされた状態でチューブに覆われて構成されている。図５には詳細な描写はないが、リード線引き出し部２４においては、それら複数の電線はチューブには収められておらず、室外機１００の正面視で左右方向に横並び状態となっている。横並び状態の複数の電線がモールド樹脂内の回路基板上のコネクタに接続されていて、リード線引き出し部２４では、横並び状態のままの複数の電線が、モールド樹脂から引き出されている。リード線引き出し部２４から横並び状態で引き出された複数の電線が一まとめにされ、一まとめとなってからの電線群をチューブが覆っている。
【００３９】
そのためリード線2５は、リード線引き出し部２４からチューブが覆う部分までの数ｍｍ（２〜３ｍｍ）の区間は複数の電線が露出している。なお、リード線引き出し部２４として、本体部２２を覆うモールド樹脂から横並びに複数の電線がいきなり飛び出ているのではなく、コネクタの一部がモールド樹脂から突き出て、その突き出ているコネクタから横並び状態の複数の電線が引き出されているＤＣブラシレスファンモータもあり、本発明はどちらの仕様であっても適用可能である。
【００４０】
ファンモータ２０の本体部２２において、回路基板はモータ固定子より背面側に、換言すると、回転軸２１がある側と反対側に位置しているので、回転軸２１が本体部２２の正面にあるとすると、リード線引き出し部２４は、本体部２２の背面寄りの位置で、本体部２２の外周面（モールド樹脂が覆っている）に設けられている。そして、図６に示されるように、ファンモータ２０は、リード線引き出し部２４が本体部２２の下端に位置するようにファンモータ支持具３０に取り付けられる。
【００４１】
ファンモータ２０の正面中心である回転軸２１の中心はおおよそ中心線Ｌに位置する。そしてリード線引き出し部２４の左右方向中央は、回転軸２１の中心と上下方向におおよそ一致している。すなわち、ファンモータ２０は、リード線引き出し部２４が本体部２２の下部で左右方向に中心線Ｌを跨いで位置するようにモータ取付面３６に固定される
【００４２】
これより、この室外機１００が有するファンモータ２０のリード線２５の処理構造について説明する。図７乃至図９は、そのリード線処理構造に係るファンモータ支持具３０の左右方向ガイド片４０を示し、これらを用いてまずは左右方向ガイド片４０の構造について説明する。図７は、下側中間横板３５ｂの上端に連接して形成される左右方向ガイド片４０およびその周辺部位の斜視図であり、図８は正面図である。そして、図９は図８におけるＸ−Ｘ断面図である。
【００４３】
これらに図示されるように、左右方向ガイド片４０は、下側中間横板３５ｂの上端に連接して形成されており、下側中間横板３５ｂの上端から下側中間横板３５ｂに対して略直角に折り曲げられ正面側に突出している突き出し部４１と、その突き出し部４１の先端に連接しモータ取付面３６が位置する側へ（ここでは上方に）斜めに折り曲げられているガイド部４２と、を有している。図９に示すように、突き出し部４１の先端にガイド部４２が連接し、ガイド部４２は突き出し部４１の突出方向に対して、ここではモータ取付面３６側へ約４５°傾斜している。
【００４４】
そして、ガイド部４２には、左右方向に開口し、左右方向に延びるＵ字状溝である左右方向ガイド溝４３が形成されている。左右方向ガイド溝４３は、左右方向に機械室Ｍの反対方向に開口し、機械室Ｍの方向に凹むＵ字状溝である。ここでは、左右方向ガイド溝４３は左方向に開口し、右方向に凹んでいる。なお、図９はこの左右方向ガイド溝４３を含んだ縦断面図であり、左右方向ガイド片４０を右方向に見ている。このガイド部４２の突端が左右方向ガイド片４０の突端となる。ガイド部４２は、左右方向ガイド溝４３と左右方向ガイド片４０の突端とを有している。
【００４５】
図８の一点鎖線で示される直線は、ファンモータ支持具３０の左右方向の中心線Ｌであり、図６の中心線Ｌと同じである。図８が示すように、左右方向ガイド溝４３は、その中心線Ｌよりも機械室M側に位置している。左右方向ガイド溝４３の反機械室Ｍ側を向く開口位置も、中心線Ｌよりも機械室M側にある。
【００４６】
突き出し部４１は、左右方向に中心線Ｌを跨いで設けられている。そして、ガイド部４２において、左右方向ガイド溝４３よりも突き出し部４１側であり突き出し部４１につながっているガイド部根元部分４２ａが、突き出し部４１と同様に左右方向に中心線Ｌを跨いで設けられている。すなわち、ガイド部根元部分４２ａは、左右方向ガイド溝４３よりもその開口方向（ここでは左方向）に延びて存在しており、左右方向ガイド溝４３のＵ字状の溝縁４３ａの一部だけでなく、溝縁４３ａに段差なく連続する先端縁４２ｂも有している。そのため、ガイド部根元部分４２ａの先端縁４２ｂと左右方向ガイド溝４３の溝縁４３ａとが連続してＪ字状を成している。
【００４７】
そして、溝縁４３ａと先端縁４２ｂはともに、背面の方向に、詳細にはガイド部４２が突き出し部４１の突出方向に対してモータ取付面３６側に傾斜しているので、モータ取付面３６側へ折り曲げられていて、そのコーナー部（曲がり部）は曲面形状（Ｒ形状）となっている。バーリング加工で穴縁にフランジが形成されるように、溝縁４３ａとそれに連続する先端縁４２ｂは、背面の方向にフランジ状に突出している。
【００４８】
続いて、同じくリード線処理構造に係るファンモータ支持具３０の上方向ガイド片５０の構造について、図１０を用いて説明する。図１０は、上方向ガイド片５０およびその周辺部位の斜視図である。
【００４９】
図１０に示すように、上方向ガイド片５０は、一対の支柱３１のうち機械室Ｍ側に（ここでは正面視で右側に）位置する支柱３１に連接し、支柱３１の内側から正面側へと折り曲げられて、正面側に突出するように成形されている。ここでの上方向ガイド片５０は、起立壁３７の下端から起立壁３７に連続して設けられている、すなわち起立壁３７と一体に成形されているが、起立壁３７とは上下方向に離れて起立壁３７から独立して形成されていてもよい。
【００５０】
そして、上方向ガイド片５０は、底板１側に、すなわち下向きに開口するＵ字状溝である上方向ガイド溝５１を有している。この上方向ガイド溝５１は、上下方向に左右方向ガイド溝４３よりも上方に位置している。また、この上方向ガイド片５０においても、支柱３１につながる根元部分５０ａが、上方向ガイド溝５１よりもその開口方向、すなわち下方に延びて存在しており、上方向ガイド溝５１の溝縁５１ａ（Ｕ字状）の一部だけでなく、溝縁５１ａに段差なく連続する前端縁５０ｂも有している。そのため、前端縁５０ｂと溝縁５１ａとが連続してＪ字状を成している。なおここでは、上述のとおり、上方向ガイド片５０が起立壁３７に一体に成形されているので、起立壁３７の下部に下向きに開口する上方向ガイド溝５１が形成されている、と言うこともできる。
【００５１】
また、連続する溝縁５１ａと前端縁５０ｂはともに内側に、すなわち左右方向において機械室Ｍの方向と反対の方向に折り曲げられていて、内側にフランジ状に突出している。そして、その折り曲げられたコーナー部（曲がり部）は左右方向ガイド片４０と同様に曲面形状（Ｒ形状）となっている。
【００５２】
これより、この室外機１００が有するリード線２５の処理構造、すなわちファンモータ２０のリード線２５をリード線引き出し部２４から機械室Ｍの電気品ユニット１０まで導く構成について、図１１乃至図１３を用いて説明する。
【００５３】
底板１に固定板３４がネジ固定され、底板１上に起立しているモータ支持具３０のモータ取付面３６にファンモータ２０が固定される。ファンモータ２０の固定は、取付脚２３のネジ通し穴２３ａを通過する４本のネジがモータ取付面３６のネジ穴３６ａにそれぞれねじ込まれることで達成される。
【００５４】
このとき、図６で示したように、リード線引き出し部２４が本体部２２の下端に位置するようにファンモータ２０は取り付けられる。なお、４本の取付脚２３のネジ通し穴２３ａとモータ取付面３６のネジ穴３６ａとを周方向に等角度に設けず、少なくとも１つを不等角度となるように設定して、ファンモータ２０の周方向角度が、リード線引き出し部２４が本体部２２の下端に位置しない角度ではネジ通し穴２３ａとネジ穴３６ａとがすべて合うことなく、４本のネジの締結ができなくなるような取付角度エラー防止構造を設けてもよい。
【００５５】
本体部２２の下端に位置し、複数の電線が左右方向に並んでいるリード線引き出し部２４の左右方向中央は、ファンモータ支持具３０の中心線Ｌにほぼ一致するので、リード線２５は、中心線Ｌに沿って下方へと引き出されている。
【００５６】
図１１は、リード線処理構造において、リード線２５の第１方向転換部Ｐを説明するための斜視図である。リード線２５の第１方向転換部Ｐは、ファンモータ２０の本体部２２から所定の距離を隔てて鉛直方向下方に位置している。第１方向転換部Ｐにおいて、底板１の方向に向かっていたリード線２５の引き出し方向が、機械室Ｍに向かう方向へと変更される。すなわち、下方へ引き出されていたリード線２５が、第１方向転換部Ｐにて正面視で右方向へと曲げられる。
【００５７】
第１方向転換部Ｐは、リード線２５がモータ支持具３０の左右方向ガイド片４０に形成される左右方向ガイド溝４３に入り、その溝縁４３ａで曲げられて構成される。溝縁４３ａでリード線２５を引っ掛けることで、リード線２５が導かれる方向が変更される。左右方向ガイド溝４３は、左右方向で機械室Ｍと反対の方向、すなわち左方向に開口しているＵ字状溝であるので、リード線２５をその溝底に相当する部分の溝縁４３ａに引っ掛けて右方向へと導いている。左右方向ガイド片４０が、ファンモータ２０の本体部２２から所定の距離を隔てて鉛直方向下方に位置している。
【００５８】
図９で示したとおり、左右方向ガイド片４０において、左右方向ガイド溝４３が設けられているガイド部４２は、正面方向に延びる突き出し部４１の先端を基点に延出して形成されているので、左右方向ガイド溝４３はその突き出し部４１の正面側への突出長さ、すなわち突き出し部４１の前後方向幅の分は少なくとも下側中間横板３５ｂより正面側に位置する。作業者がリード線２５を左右方向ガイド溝４３に入れ、溝縁４３ａに引っ掛けて機械室Ｍの方向へと曲げる作業を行うとき、作業者はファンモータ支持具３０の正面と向き合う姿勢で、正面側から手を伸ばしてその作業を実施する。
【００５９】
ファンモータ支持具３０は、室外機１００の前後方向（奥行き方向）において背面側に位置しているので、正面側から作業する作業者にとって、左右方向ガイド溝４３が作業者自身に近い位置にある方が作業し易い。左右方向ガイド片４０に正面側へと延出する突き出し部４１を設けることで、リード線２５を入れる左右方向ガイド溝４３が作業者に近づき、作業者の作業性が良好となる。
【００６０】
ただし、ファンモータ２０の正面から突き出る回転軸２１にはその後にプロペラファンである送風ファン７が取り付けられるので、第１方向転換部Ｐで取り回されたリード線２５が、回転する送風ファン７に接触することがないように、突き出し部４１の突出長さは制限される。
【００６１】
また、ガイド部４２は突き出し部４１の先端から４５°斜め上に折り曲げられて、ガイド部４２の突端が突き出し部４１の先端よりも前方で上に位置するように傾斜して形成されている。これは、ガイド部４２がモータ取付面３６側へと傾いていることであり、ファンモータ２０がモータ取付面３６に取り付けられた後の状態では、ガイド部４２はファンモータ２０に近づく方向に傾斜していると言える。
【００６２】
前述のとおり、リード線引き出し部２４は本体部２２の背面側に位置しているので、正面側から作業する作業者が、リード線引き出し部２４よりも前方でかつ下方に位置する左右方向ガイド溝４３にリード線２５を入れようとすれば、まずはリード線引き出し部２４から下方に延びるリード線２５を手前へと導いてくる。そのときリード線引き出し部２４から作業者が手で持つ部分までのリード線２５は、手前側（作業者がいる側）が下となる前後方向に斜めな状態となる。
【００６３】
そして、ガイド部４２は手前側が上となるように傾斜している。そこに左右方向（ここでは左方向）に開口して形成される左右方向ガイド溝４３も当然ガイド部４２と同様に傾斜しているので、作業者が手前に導いたリード線２５と左右方向ガイド溝４３の開口とが、互いに交差する関係となる。そのため、作業者がリード線２５に力を加えて曲げたりすることなく、リード線２５を左右方向ガイド溝４３に容易に入れることができ、また左右方向ガイド溝４３内を溝底に向かってスムーズに移動させることができる。
【００６４】
両者が直角に交差する状態が最もリード線２５を左右方向ガイド溝４３に入れ易い。この室外機１００では、ガイド部４２は水平な突き出し部４１に対してファンモータ２０の方向に４５°傾斜させているが、このガイド部４２の傾斜角度は設計事項である。ガイド部４２の傾斜角度は、リード線引き出し部２４と左右方向ガイド片４０の位置関係や作業者の作業する位置等に応じて、作業者が手前に引き寄せたリード線２５と左右方向ガイド片４０のガイド部４２とがなるべく直角に交差するように、適宜設定されればよい。
【００６５】
また、左右方向ガイド片４０のガイド部４２は、ガイド部根元部分４２ａが左右方向に中心線Ｌを跨いで左右方向ガイド溝４３の開口よりもその開口方向に延びており、その上端に左右方向ガイド溝４３の溝縁４３ａに段差なく連続する先端縁４２ｂを有している。さらに先端縁４２ｂおよび溝縁４３ａはともに、コーナー部が曲面形状を有して背面の方向に折り曲げられているので、作業者は手前に引き寄せたリード線２５を先端縁４２ｂに接触させ、フランジ状の先端縁４２ｂの面上を左右方向（ここでは右方向）にスライドさせるだけ容易に左右方向ガイド溝４３にリード線２５を入れることができる。
【００６６】
先端縁４２ｂとファンモータ２０の間にはリード線２５の手前への引き寄せを妨げるようなものはないので、作業者はリード線２５を容易に先端縁４２ｂに接触させることができ、さらに先端縁４２ｂおよび溝縁４３ａは折り曲げられてフランジ状になっているので、先端縁４２ｂ上のリード線をスムーズに左右方向ガイド溝４３の溝底に向かって、先端縁４２ｂおよび溝縁４３ａの面上をスライドさせることできる。このように左右方向ガイド片４０は、リード線２５を左右方向ガイド溝４２へ収める作業の作業性に優れた構造を備えている。
【００６７】
また、折り曲げられた先端縁４２ｂおよび溝縁４３ａはそのコーナーがＲ形状であるので、リード線２５がこれらの面上をスライドしてもリード線２５の表面が損傷することがない。そして、先端縁４２ｂと溝縁４３ａは背面の方向に折り曲がっているので、正面側に立つ作業者がリード線２５を左右方向ガイド溝４２へ収める作業にあたってそれらの先端に接触する恐れもない。
【００６８】
作業者はリード線２５を左右方向ガイド溝４３の溝底に向かって、すなわち右方向にスライド移動させ、溝底に相当する部分の溝縁４３ａに引っ掛けてリード線２５を右方向へと導く。右方向、すなわち機械室Ｍ側に導かれたリード線２５は続いて第２方向転換部Ｑで今度は上方向へと導かれることになる。
【００６９】
図１２は、リード線２５の第２方向転換部Ｑを説明するための斜視図である。リード線２５の第２方向転換部Ｑは、第１方向転換部Ｐを構成する左右方向ガイド片４０よりも上方に位置しており、リード線２５がモータ支持具３０の上方向ガイド片５０に形成される上方向ガイド溝５１に入り、その溝縁５１ａで曲げられて構成される。溝縁５１ａでリード線２５を引っ掛けることで、リード線２５の配線経路の向きそを変更する。なお、ここでリード線２５の配線経路とは、リード線２５がリード線引き出し部２４から電気品ユニット１０に至るまでの経路のことである。
【００７０】
上方向ガイド溝５１は、下方向に開口しているＵ字状溝であるので、リード線２５をその溝底に相当する上部の溝縁５１ａに引っ掛けて上方向へと導いている。第１方向転換部Ｐにて下方へ延びるリード線２５が左右方向に機械室Ｍの方向（ここでは右方向）に導かれ、この第２方向転換部Ｑにて右方向へ延びるリード線２５が今度は上方向へ導かれることになる。
【００７１】
図１０で示したとおり、上方向ガイド溝５１を有する上方向ガイド片５０は、機械室Ｍ側の支柱３１の内側から正面側に折り曲げられて成形されているので、上方向ガイド溝５１は、支柱３１よりも正面側に位置することになる。正面側から作業する作業者にとって、上方向ガイド溝５１が作業者自身に近い位置にある方がリード線２５を入れ易い。上方向ガイド片５０を正面側に突出するように設けることで、上方向ガイド溝５１が作業者に近づき、作業者の作業性を良好にすることができる。
【００７２】
ここでは、上方向ガイド片５０が起立壁３７に連続して設けられているため、上方向ガイド溝５１は前後方向にモータ取付面３６と支柱３１との間に位置している。しかし、起立壁３７から独立して上方向ガイド片５０を形成し、上方向ガイド溝５１をモータ取付面３６よりも正面側に位置させて作業者により近づけるようにしてもよい。ただし、第２方向転換部Ｑで取り回されたリード線２５が、回転する送風ファン７に接触することがないように、上方向ガイド溝５１の位置は制限される。
【００７３】
また、上方向ガイド片５０は、根元部分５０ａが上方向ガイド溝５１の開口よりもその開口方向、すなわち下方に延びた前端縁５０ｂを有しており、さらに前端縁５０ｂと溝縁５１ａはともに、コーナー部が曲面形状を有してファンモータ２０側へとフランジ状に折り曲げられているので、作業者はリード線２５を前端縁５０ｂに接触させ、その面上を上方向にスライドさせるだけ容易に上方向ガイド溝５１にリード線２５を収められ、上方向ガイド溝５１の上部に位置する溝底に向かって、前端縁５０ｂに連続する溝縁５１ａの面上をスライドさせることできる。
【００７４】
フランジ状の前端縁５０ｂと溝縁５１ａはコーナー部がＲ形状であるので、リード線２５がこれらの面上をスライドしてもリード線２５の表面が損傷することはない。このように上方向ガイド片５０は、リード線２５を上方向ガイド溝５１へ収める作業の作業性に優れている。
【００７５】
第２方向転換部Qを経て右方向から上方向に導かれるようになったリード線２５は、機械室Ｍ側の支柱３１に沿って上昇し、当該支柱３１の上部に位置する保持部Ｈで保持される。保持部Ｈは、支柱３１の外側上部に背面側に突出するように成形されているリード線押さえ片１３が内側へと折り曲げられて、当該支柱３１の背面と折り曲げられたリード線押さえ片１３とでリード線２５を挟持することで構成される（図１４参照）。リード線２５は、第２方向転換部Ｑの後で支柱３１の外側から背面側と回り込み、上側中間横板３５ａより上方では、支柱背面溝３１ａに収まって上昇し、保持部Ｈに至る。
【００７６】
図１３および図１４は、ファンモータ支持具３０におけるリード線２５の配線経路を示す図であり、図１３は正面側から、図１４は背面側から見た図となっている。保持部Ｈで一旦ファンモータ支持具３０に固定されたリード線２５は、保持部Ｈからファン室Ｆの背面側上部を通って機械室Ｍへ向かい、仕切板６上部に形成されている切欠き（図示せず）を通過して機械室Ｍに入る。機械室Ｍに進入したリード線２５は仕切板６の機械室Ｍ側の面に留め具を用いて固定されるとともに、電気品ユニット１０に収められている電装基板上のコネクタ（図示せず）に接続される。
【００７７】
仮にリード線２５が、リード線引き出し部２４から保持部Ｈまでたるみなく引き渡され、リード線引き出し部２４から第１方向転換部Ｐまで、第１方向転換部Ｐから第２方向転換部Ｑまで、第２方向転換部Ｑから保持部Ｈまでの各々の方向にぴんと張った状態で保持部Ｈにて保持されることになったとしても、第１方向転換部Ｐを構成する左右方向ガイド溝４３が、ファンモータ２０と距離を隔て、ファンモータ本体部２２の鉛直方向下方となる位置に設けられ、リード線２５はこの左右方向ガイド溝４３の溝縁４３で曲げられ配線経路の向きが変更されているので、図１３、１４が示すように、リード線引き出し部２４から第１方向転換部Ｐに延びるリード線２５は、左右方向にほとんど斜めにならない。
【００７８】
そのため、この部分のリード線２５がたとえ引っ張られているような状態であったとしても、リード線引き出し部２４、すなわちリード線２５の根元部分に作用する力は、下向きの引っ張り力が大部分であり、左右方向のせん断力はほとんど作用しない。よって、せん断力を起因とするリード線引き出し部２４におけるリード線２５の断線の発生を防止することができる。このような左右方向ガイド溝４３を備えたリード線処理構造により、室外機１００は、リード線２５の処理に伴うリード線２５の根元部分の破断を防止する信頼性に優れた室外機となる。
【００７９】
また、第２方向転換部Ｑを構成する上方向ガイド溝５１により、第１方向転換部Ｐで配線経路を上下方向から機械室Ｍの方向に変更されたリード線２５を上方向に変更できる。このため、リード線２５を支柱３１に沿って上部の保持部Ｈまで導くことができ、配線経路途中のリード線２５が送風ファン７に接触するのを防止することができる。
【００８０】
なお、上方向ガイド片５０を左右方向ガイド片４０よりも上方の位置に設けているが、これは、保持部Ｈがファンモータ支持具３０の上部に在るため、左右方向ガイド片４０よりも下方の位置に設けるよりもリード線２５の長さを短くできるからである。保持部Ｈが上部にあるのは、リード線２５が接続される電気品ユニット１０が機械室Ｍの上部に位置しているためであり、送風ファン７との接触を回避したリード線２５の配線経路の短縮化を図っているからである。
【００８１】
また、リード線２５を引っ掛けて配線経路の向きを変更する左右方向ガイド溝４３の溝縁４３ａおよび上方向ガイド溝５１の溝縁５１ａはいずれもフランジ状に折り曲げられているとともにそのコーナー部は円弧形状であるため、仮にぴんと張った状態にリード線２５が取り回されても、リード線２５の表面が損傷することなく、またリード線２５との接触面積が大きく接触部位に局所的に作用する応力を小さくでき、溝縁４３ａ、５１ａにて断線する恐れもない。
【００８２】
そして、左右方向ガイド片４０には、左右方向ガイド溝４３の開口よりもその開口方向に延び、溝縁４３ａに段差なく連続する先端縁４２ｂが形成され、そして上方向ガイド片５０には、上方向ガイド溝よりも下方向に延び、溝縁５１ａに段差なく連続する前端縁５０ｂが形成されており、これらも溝縁４３ａ、５１ａと同じく、円弧形状のコーナー部を有してフランジ状に折り曲げられているので、作業者はリード線２５を先端縁４２ｂもしく前端縁５０ｂに接触させ、これらの面上をスライドさせるだけで容易に迅速に左右方向ガイド溝４３もしくは上方向ガイド溝５１にリード線２５を収めることができ作業性に優れる。また、リード線２５をスライドさせてもリード線２５の表面が損傷することはなく、信頼性にも優れる。
【００８３】
また、第１方向転換部Ｐの左右方向ガイド片４０は、作業者がリード線２５の配線作業を行う位置の方向である正面方向に突出する突き出し部４１が形成されており、第２方向転換部Ｑの上方向ガイド片５０は支柱３１の内側から正面方向に折り曲げられて形成されているので、左右方向ガイド溝４３と上方向ガイド溝５１はともに、一対の支柱３１よりも作業者に近づく正面側に位置することとなり、作業者がリード線２５をこれらのガイド溝４３、５１に入れる作業を行い易い。
【００８４】
また、左右方向ガイド片４０において、左右方向ガイド溝４３を有するガイド部４２は、その先端（突端）が中間横板３５ａ、３５ｂよりも室外機１００の正面側に位置し、水平方向に対してモータ取付面３６に取り付けられたファンモータ２０に近づく方向に傾斜しており、作業者が手前に引き寄せたリード線２５と左右方向ガイド溝４３とが交差することとなって、リード線２５を容易に迅速に左右方向ガイド溝４３に収めることができ、作業性に優れる。
【００８５】
また、左右方向ガイド片４０において、左右方向ガイド溝４３は、その開口を含め、ファンモータ支持具３０の中心線Ｌよりも機械室Ｍ側に位置しているので、ファン取付面３６に取り付けられたファンモータ２０において中心線Ｌ上に位置するリード線引き出し部２４から延びるリード線２５を、作業者は予め左右方向にずらすことなく滑らかに左右方向ガイド溝４３に入れることができ、作業性に優れる。
【００８６】
なお、本発明において第２方向転換部Ｑの上方向ガイド溝５１は必須な構成要素ではない。機械室Ｍ側の支柱３１の左右方向ガイド溝４３と同じ高さもしくは上方向の位置に、上部に位置する保持部Ｈのように、機械室M側の支柱３１もしくはその近傍にて、折り曲げた押さえ片でリード線２５を保持して、そこからリード線２５の配線経路を上方向に変更するようにしても当該支柱３１に沿って上部の保持部Ｈまで導くことができる。上方向ガイド溝５１に引っ掛ける手段ではない別の構成、例えば上記のような保持する構成で第２方向転換部Ｑを適用してもよい。
【００８７】
このような場合にリード線２５がリード線引き出し部２４から第１方向転換部Ｐを経てその保持位置までぴんと張った状態で保持されたとしても、上記に説明したような第１方向転換部Ｐの左右方向ガイド片４０の構成によって、リード線２５の処理に伴うリード線２５の根元部分の断線防止する信頼性に優れたリード線処理構造が得られる。
【００８８】
実施の形態２．
これまでは、ファンモータ２０がファンモータ支持具３０のモータ取付面３６に取り付けられた状態で、リード線引き出し部２４がファンモータ本体部２２の下端に位置し、下側中間横板３５ｂの上端から左右方向ガイド片４０が突出させ、第１方向転換部Ｐをファンモータ２０の下方に設けていた。しかし、本発明の実施の形態２として、リード線引き出し部２４がファンモータ本体部２２の上端に位置するようにファンモータ２０をファンモータ取付面３６に取り付け、上側中間横板３５ａの下端から左右方向ガイド片４０を突出させ、ファンモータ２０の上方に第１方向転換部Ｐを設けることも可能であり、実施の形態１と同様な効果を得ることができる。
【００８９】
実施の形態２では、左右方向ガイド片４０がファンモータ２０と距離を隔て、ファンモータ本体部２２の鉛直方向上方となる位置で、上側中間横板３５ａの下端から突出して設けられる。この場合、突き出し部４１は実施の形態１と同様に正面側へ所定の寸法だけ折り曲げられ、突き出し部４１の先端に連接してガイド部４２が下方に斜めに折り曲げられている。ガイド部４２は、ファンモータ取付面３６側へ傾斜させるので、実施の形態１ではガイド部４２の先端が突き出し部４１の上下位置よりも上方となるようにガイド部４２は傾斜していたが、この実施の形態２では、ガイド部４２の先端が突き出し部４１の上下位置よりも下方となる向きにガイド部４２が傾斜する。左右方向ガイド片４０のそれ以外の構成は実施の形態１と同様である。
【００９０】
実施の形態２でも、リード線２５の配線経路の短縮化のために、第２方向転換部Ｑを機械室Ｍ側の支柱３１における左右方向ガイド片４０よりも上方となる位置に設けるのが望ましい。例えば、上側中間横板３５ａよりも上方となる位置で機械室Ｍ側の支柱３１の内側から正面側に折り曲げて上方向ガイド溝５１を有する上方向ガイド片５０を設け、第２方向転換部Ｑを構成する。
【００９１】
以上のように、モータ取付面３６に固定されるファンモータ２０の向きを、リード線引き出し部２４がファンモータ本体部２２の下部に位置するように構成する場合には、左右方向ガイド溝４３を有する左右方向ガイド片４０は下側中間横板３５ｂに形成し、リード線引き出し部２４がファンモータ本体部２２の上部に位置するように構成する場合には、左右方向ガイド片４０は上側中間横板３５ａに形成する。前者の場合が実施の形態１であり、後者の場合が実施の形態２である。そして、どちらでの場合であっても、左右方向ガイド片４０は、中間横板３５ａ、３５ｂのモータ取付面３６側の端面（上側中間横板３５ａであれば下端、下側中間横板３５ｂであれば上端）から突出するように形成され、左右方向ガイド溝４３が設けられるガイド部４２が、突き出し部４１の突出方向に対して、モータ取付面３６に取り付けられたファンモータ２０に近づく方向へと傾斜している。
【００９２】
なお、リード線２５の処理作業（取り回し作業）の作業性向上の目的を無視し、リード線処理構造においてリード線２５の根元部分に作用する左右方向のせん断力によるリード線２５の断線、すなわちリード線引き出し部２４におけるまだ束ねられていない個々の電線の一部断線を防止する目的を解決することに特化するのであれば、  左右方向ガイド片４０において突き出し部４１を設けずに、下側中間横板３５ｂの上端から、もしくは上側中間横板３５ａの下端からガイド部４２を突出させ、水平方向に対してモータ取付面３６に取り付けられたファンモータ２０に近づく方向に傾斜させてもよい。
【００９３】
また、同じくリード線２５の処理作業の作業性向上の目的を無視し、リード線２５の根元部分の断線を防止する目的を解決することに特化するのであれば、突き出し部４１を設ける場合であっても設けない場合であっても、ガイド部４２を水平方向に対してファンモータ２０に近づく方向に傾斜させずに、一対の支柱３１が延びる方向と平行に突出するように形成してもよい。この場合には左右方向ガイド溝４３も溝幅方向も一対の支柱３１が延びる方向と平行となり、左右方向ガイド溝４３の溝縁４３ａおよびガイド部根元部分４２ａ先端縁４２ｂは、背面側にフランジ状に突出することになる。
【００９４】
突き出し部４１を設ける場合であれば、正面側に折り曲げられた突き出し部４１の先端から直角に上方（実施の形態１に対応）もしくは下方（実施の形態２に対応）に向けてガイド部４２が折り曲げられている構成であり、突き出し部４１を設けない場合であれば、下側中間横板３５ｂの上端から直接上方（実施の形態１に対応）へ、もしくは上側中間横板３５ａの下端から直接下方（実施の形態２に対応）に、どちらもその正面を下側中間横板３５ｂもしくは上側中間横板３５ａの正面と面一として突出させる構成である。いずれの場合であっても、リード線処理構造においてリード線２５の根元部分に作用する左右方向のせん断力によるリード線２５の断線を防止することができる。
【００９５】
なお、上側中間横板３５ａと下側中間横板３５ｂは必ずしも両方を備えていなくてもよく、左右方向ガイド片４０を突出させる側のどちらか一方の中間横板だけを備えるものであってもよい。左右方向ガイド片４０は、支柱３１の途中に支柱３１を左右方向に跨いで形成される中間横板３５ａ、３５ｂのどちらか一方のモータ取付面３６側の端面からモータ取付面３６に近づく方向に突出して形成されるものである。
【符号の説明】
【００９６】
６  仕切板、７  送風ファン、８  熱交換器、９  圧縮機、５  筺体、１０  電気品ユニット、１５  ケーシング、２０  ファンモータ、２５  リード線、３０  ファンモータ支持具、３１  一対の支柱、３５ａ  上側中間横板、  ３５ｂ  下側中間横板、３６  モータ取付面、３７  起立壁、４０  左右方向ガイド片、４１  突き出し部、４２  ガイド部、４２ａ  ガイド部根元部分、  ４２ｂ  先端縁、４３  左右方向ガイド溝、４３ａ  溝縁、５０  上方向ガイド片、５１  上方向ガイド溝、１００  室外機、Ｆ  ファン室、Ｌ  中心線、Ｍ  機械室。
【図１】
0006575693.tif 000002
【図２】
0006575693.tif 000003
【図３】
0006575693.tif 000004
【図４】
0006575693.tif 000005
【図５】
0006575693.tif 000006
【図６】
0006575693.tif 000007
【図７】
0006575693.tif 000008
【図８】
0006575693.tif 000009
【図９】
0006575693.tif 000010
【図１０】
0006575693.tif 000011
【図１１】
0006575693.tif 000012
【図１２】
0006575693.tif 000013
【図１３】
0006575693.tif 000014
【図１４】
0006575693.tif 000015